(57)【要約】【課題】紙幣収納カセットが転倒した状態から取っ手を掴んで持ち上げようとすると、取っ手２８が回動し、紙幣収納カセットを持ち上げにくいといった問題があった。  【解決手段】媒体を収納する媒体収納部と、前記媒体収納部に支持部を有し、前記支持部を回転支点として第１位置から第２位置の間で回動自在な取っ手と、前記支持部の近傍に取り付けられ、所定の場合に、前記取っ手の回動を規制するロックレバーとを有し、前記ロックレバーは、前記取っ手が第１位置から第２位置へ回動することを規制する構成とした。【選択図】  図１
2015060562.tif 000002
【特許請求の範囲】
【請求項１】
媒体を収納する媒体収納部と、
前記媒体収納部に支持部を有し、前記支持部を回転支点として第１位置から第２位置の間で回動自在な取っ手と、
前記支持部の近傍に取り付けられ、所定の場合に、前記取っ手の回動を規制するロックレバーとを有し、
前記ロックレバーは、前記取っ手が第１位置から第２位置へ回動することを規制することを特徴とする媒体収納カセット。
【請求項２】
前記所定の場合は、前記媒体収納部が転倒し、かつ、前記取っ手が前記第１位置に回動したときであることを特徴とする請求項１記載の媒体収納カセット。
【請求項３】
前記第１位置は、前記媒体収納部の上面に対して前記取っ手が垂直に起立した状態であり、
前記第２位置は、前記媒体収納部の上面に対して前記取っ手が平行に傾倒した状態であることを特徴とする請求項１又は請求項２記載の媒体収納カセット。
【請求項４】
前記ロックレバーは、ロックレバー回動支点部を有し、
前記ロックレバー回動支点部を中心に回動することを特徴とする請求項１ないし請求項３記載の媒体収納カセット。
【請求項５】
前記ロックレバーは、前記取っ手と接触する取っ手接触突起部を有し、
前記取っ手接触突起部が前記取っ手の一部と接触することで、前記取っ手の回動を規制することを特徴とする請求項１ないし請求項４記載の媒体収納カセット。
【請求項６】
前記取っ手の一部は、前記取っ手接触突起部と接触する部分を傾斜させて形成したことを特徴とする請求項５記載の媒体収納カセット。
【請求項７】
前記媒体収納部は、前記ロックレバーの回動を規制する第１のロックレバーリミッタ部と第２のロックレバーリミッタ部を有し、
前記ロックレバーは、前記第１のロックレバーリミッタ部と前記第２のロックレバーリミッタ部との間で略９０度回動することを特徴とする請求項１ないし請求項６記載の媒体収納カセット。
【請求項８】
媒体を収納する箱形状であり、前記箱形状の外面一端側である第１面と、外面他端側である第２面と、前記第１面の両側の面であり、前記第１面と前記第２面とを繋ぐ第３面及び第４面とを有する媒体収納部と、
把持部と、前記第３面及び前記第４面に取り付けられる取っ手支点部とを有し、前記取っ手支点部を中心に、前記把持部が前記第１面側に位置している状態である第２位置から、前記把持部が前記第３面と前記第４面の略中間に位置している状態である第１位置の間で回動する取っ手と、
前記取っ手支点部の近傍に設けられ、所定の場合に、前記取っ手が第１位置から第２位置に回動することを規制するロックレバーと、を備えたことを特徴とする媒体収納カセット。
【請求項９】
前記所定の場合は、前記第２面が下面となるように前記媒体収納部が転倒し、かつ、前記取っ手が第１位置に回動したときであることを特徴とする請求項８記載の媒体収納カセット。
【請求項１０】
前記ロックレバーは、少なくとも前記第３面又は前記第４面のいずれか一方に設けたことを特徴とする請求項８又は請求項９記載の媒体収納カセット。
【請求項１１】
請求項１ないし請求項１０記載の媒体収納カセットを搭載したことを特徴とする媒体取扱装置。
【発明の詳細な説明】
【技術分野】
【０００１】
本発明は、紙幣等の媒体の装填作業又は取出し作業を行うための着脱可能な媒体収納カセット及び媒体収納カセットを備えた媒体取扱装置に関するものである。
【背景技術】
【０００２】
図８に示したように、従来の媒体取扱装置、例えば、ＡＴＭ等の自動取引装置１は、媒体を収納する媒体収納カセット（例えば、紙幣収納カセット１９）を備えている。
【０００３】
一般的に、自動取引装置１の紙幣収納カセット１９は、金庫ユニット１８に内蔵されており、金庫ユニット１８は、自動取引装置１の内部側面に取り付けられたスライドレール１７により矢印Ａ方向に引き出すことできるようになっている。そして、係員は、金庫ユニット１８から紙幣収納カセット１９を矢印Ｂ方向に取り出し、紙幣収納カセット１９の交換、紙幣の装填作業、又は取出し作業を行うことができるようになっている。
【０００４】
ところで、自動取引装置１の紙幣収納カセット１９は、入金専用庫、出金専用庫、入金された紙幣を収納し、その後の出金時に収納している紙幣を出金する還流型リサイクル庫などのように用途に応じた種類がある。また、１種類のみの金種のみの紙幣を収納するものもあれば、複数種類の金種の紙幣を収納するものもある。
【０００５】
このように紙幣収納カセット１９の用途や取り扱う金種は、それぞれの自動取引装置１の運用に合わせて設定できるようになっており、金融機関や警備会社等の係員は、その運用に合わせて紙幣収納カセット１９の交換や紙幣収納カセット１９への紙幣の装填作業を行っている。
【０００６】
紙幣収納カセット１９の上部には、図９に示したように、着脱や運搬のための取っ手２８が設けられており、取っ手２８の一例として、取っ手２８の支点を中心に起立傾倒自在に回動するものがある（例えば、特許文献１参照）。
【先行技術文献】
【特許文献】
【０００７】
【特許文献１】特開平０２−０１２５９２号公報
【発明の概要】
【発明が解決しようとする課題】
【０００８】
ところで、従来の紙幣収納カセット１９では、図９に示したように、取っ手２８が起立した状態で紙幣収納カセット１９を転倒している状態から取っ手２８を掴んで持ち上げようとすると、取っ手２８が回動する。このように、紙幣収納カセット１９を持ち上げる際に取っ手２８が回動することで、紙幣収納カセット１９を持ち上げにくいといった問題があった。
【課題を解決するための手段】
【０００９】
本発明は、前述の課題を解決するために次の構成を採用する。すなわち、媒体を収納する媒体収納部と、前記媒体収納部に支持部を有し、前記支持部を回転支点として第１位置から第２位置の間で回動自在な取っ手と、前記支持部の近傍に取り付けられ、所定の場合に、前記取っ手の回動を規制するロックレバーとを有し、前記ロックレバーは、前記取っ手が第１位置から第２位置へ回動することを規制する構成とした。
【発明の効果】
【００１０】
本発明の媒体収納カセットによれば、以上のように構成したことにより、所定の場合に限り、ロックレバーが取っ手の回動を規制するため、媒体収納カセットが持ち上げやすくなるといった効果が得られる。
【図面の簡単な説明】
【００１１】
【図１】第１の実施形態に係る紙幣収納カセットの取っ手が傾倒位置にある状態を示す図である。
【図２】第１の実施形態に係る紙幣収納部の構成を示す図（１）である。
【図３】第１の実施形態に係る紙幣収納部の構成を示す図（２）である。
【図４（ａ）】第１の実施形態に係る紙幣収納カセットの取っ手の形状を示す図（１）である。
【図４（ｂ）】第１の実施形態に係る紙幣収納カセットの取っ手の形状を示す図（２）である。
【図５】第１の実施形態に係る紙幣収納カセットの取っ手が起立位置にある状態を示す図である。
【図６】第１の実施形態に係る紙幣収納カセットが転倒した図（１）である。
【図７】第１の実施形態に係る紙幣収納カセットが転倒した図（２）である。
【図８】自動取引装置の金庫ユニットを装置内部から引き出している図である
【図９】従来の紙幣収納カセットを示す図である。
【発明を実施するための形態】
【００１２】
以下、本発明に係わる実施の形態例を、図面を用いて説明する。図面に共通する要素には同一の符号を付す。なお、以下の説明では、金融機関等に設置され紙幣を取扱う自動取引装置を例として説明するが、媒体の補充や回収などを行うための着脱可能な媒体収納カセットを備える装置であれば広く用いることができ、例えば硬貨を取扱う硬貨処理装置等にも本発明を適用することができる。
【第１の実施形態】
【００１３】
また、金庫ユニット１８に内蔵される硬貨入出金金庫や硬貨装填庫を備え、硬貨の入出金制御を行う硬貨入出金部と、金庫ユニット１８に内蔵される紙幣入出金金庫や紙幣装填庫（以下、「紙幣収納カセット１９」ともいう。）を備える紙幣の入出金制御を行う紙幣入出金部とを備える。
【００１４】
（紙幣収納カセット１９の構成）
図１は、紙幣収納カセット１９に設けられた取っ手２８部分拡大図である。同図に示したように、紙幣収納カセット１９は、紙幣を収納する紙幣収納部２０と、着脱や運搬のための取っ手２８等から構成されている。以下、詳細に説明する。
【００１５】
（紙幣収納部２０の構成）
以下、図１〜図３を参照して、本実施形態に係る紙幣収納部２０の構成を説明する。なお、図２については、説明の都合上、紙幣収納部背面２３及び紙幣収納部底面２５の境界を破線を用いて示している。紙幣収納部２０は、紙幣を上下方向に積層していくものであり、直方体形状の箱形状を有している。紙幣収納部２０の外周面のうち、紙幣収納部２０の外面一端側として幅広面となる前面を紙幣収納部正面２１とし、その両側の幅狭面を紙幣収納部側面２２（紙幣収納部正面２１から見て右側が紙幣収納部側面２２ａ、左側が紙幣収納部側面２２ｂ）とし、紙幣収納部２０の外面他端側として幅広面となる後面を紙幣収納部背面２３とし、紙幣収納部２０の外面としての上面を紙幣収納部上面２４とし、紙幣収納部２０の外面としての底面を紙幣収納部下面２５としている。
【００１６】
紙幣収納部側面２２ａ、２２ｂには、取っ手２８に設けられた取っ手支点部２９が取り付けられる篏合穴３６を有する。篏合穴３６は、紙幣収納部側面２２ａ、２２ｂの上部で、紙幣収納部正面２１と紙幣収納部背面２３の略中間に設けられる。
【００１７】
紙幣収納部２０の上部には、コの字状の凹みであるコ型凹部２６を備えており、コ型凹部２６は、取っ手２８が傾倒位置Ｄ（収納状態ともいう）にあるとき、紙幣収納部２０の外周面から突出しないように設けられた凹部である。したがって、コ型凹部２６の深さは、取っ手２８の収納状態のとき、紙幣収納部２０の外周面から突出しないように、取っ手２８と略同一形状の凹部に形成されている。
【００１８】
また紙幣収納部２０の外面には、取っ手２８の回動範囲を制限する取っ手リミッタ部２７ａ、２７ｂを有する。より詳細には、取っ手リミッタ部２７ａ、２７ｂは、コ型凹部２６の外面の一部からなるものである。図２に示したように、取っ手リミッタ部２７ａは、コ型凹部２６の外面であり、取っ手２８の回動始端部となる傾倒位置Ｄを規制する。取っ手リミッタ部２７ｂは、コ型凹部２６と紙幣収納部上面２４とを繋ぐ傾斜した面であり、回動終端部の起立位置Ｅを規制する。なお、取っ手リミッタ部２７ａを第１の取っ手リミッタ部といい、取っ手リミッタ部２７ｂを第２の取っ手リミッタ部ともいう。
【００１９】
（ロックレバー３２近傍の構成）
次に紙幣収納部側面２２に設けられたロックレバー３２及びロックレバーリミッタ部３５ａ、３５ｂの構成について説明する。
【００２０】
ロックレバー３２は、長方形状の板金等でできており、所定の場合に、取っ手２８の回動を規制するものである。ロックレバー３２の長手方向の一端側には、ロックレバー回動支点部３３を有しており、他端側には取っ手接触突起部３４が設けられている。なお、ロックレバー３２及びロックレバーリミッタ部３５ａ、３５ｂは、紙幣収納部側面２２ａ又は２２ｂの少なくとも一方に取り付けられているものであるが、言うまでもなく紙幣収納部側面２２ａ及び２２ｂの両側に設けてもよいものである。
【００２１】
ロックレバー３２は、ロックレバー回動支点部３３を中心に重力方向に回動するようになっている。ロックレバー回動支点部３３は、紙幣収納部側面２２に軸支されておりロックレバー３２は、ロックレバー３２自身の重さによって回動する。言い換えると、紙幣収納部２０のどの面が床面と接触して転倒しているかによって、ロックレバー３２の回動方向が決まる。なお、ロックレバー３２は、長方形状の板金等で構成される旨を説明したが、形状及び材質においては特に限定されるものではない。
【００２２】
さらにロックレバー３２には、円筒形状の突起である取っ手接触突起部３４が設けられている。取っ手接触突起部３４は、図４（ａ）に示したように取っ手２８に形成されたロックレバー接触部３１と接触するものである。ロックレバー接触部３１については、より詳細に後述する。
【００２３】
ロックレバー３２は、取っ手２８と紙幣収納部２０の間に配置されているものである。したがって、取っ手接触突起部３４は、唯一、取っ手２８と接触する部分であり、取っ手接触突起部３４以外のロックレバー３２の部分は、取っ手２８とは接触しないものである。なお、取っ手接触突起部３４は、円筒形状である旨を説明したが、円筒形状に限定するものではなく、取っ手２８の回動を規制するものであれば矩形等の突起であってもよいものである。
【００２４】
次に、ロックレバー３２の回動範囲を制限するロックレバーリミッタ部３５について説明する。ロックレバーリミッタ部３５ａ、３５ｂは、紙幣収納部側面２２から突出して設けられる突起であり、ロックレバー３２の回動範囲を略９０度に制限しているものである。
【００２５】
図６に示したように、ロックレバー３２の長手方向が紙幣収納部２０の上下方向と平行である状態を、取っ手２８を退避する退避位置Ｆとし、ロックレバー３２の長手方向が紙幣収納部２０の上下方向と直交する状態を、取っ手２８と接触する接触位置Ｇとし、ロックレバーリミッタ部３５ａ、３５ｂは、ロックレバー３２が退避位置Ｆから接触位置Ｇの間で回動するように設定している。
【００２６】
したがって、ロックレバーリミッタ部３５ａは、ロックレバー３２の退避位置Ｆを規制するものであり、ロックレバーリミッタ部３５ｂは、ロックレバー３２の接触位置Ｇを規制するものである。なお、ロックレバーリミッタ部３５ａは、第１のロックレバーリミッタ部ともいい、またロックレバーリミッタ部３５ｂは、第２のロックレバーリミッタ部ともいう。
【００２７】
上述した取っ手リミッタ部２７、ロックレバー３２及びロックレバーリミッタ部３５、は、紙幣収納部側面２２の少なくとも片側に設ければよいものであり、述べるまでもなく両側に設けてもよいものである。
【００２８】
（取っ手２８の構成）
取っ手２８は、係員が持ち運ぶのに適したコの字形状を有しており、把持部２８ａと取っ手支点部２９が設けられている。取っ手支点部２９は、紙幣収納部側面２２ａ、２２ｂの上部であり、紙幣収納部正面２１と紙幣収納部背面２３との略中間に設けられた篏合穴３６に取り付けられており、取っ手２８は、取っ手支点部２９を中心に起立傾倒自在に構成されている。
【００２９】
取っ手２８の回動範囲について、図１及び図５〜図７を用いて説明する。取っ手２８の回動範囲は、取っ手リミッタ２７によって規制されており、回動始端部となる傾倒位置Ｄ（０度）から回動終端部となる起立位置Ｅ（例えば、９５度）に至るまでの間で回動するものである。言い換えると、把持部２８ａが前記紙幣収納部２０の外面一端側である第１面側（例えば、紙幣収納部正面２１側）に位置した傾倒位置Ｄから、把持部２８ａが第１面と第１面と対向する第２面との略中間（紙幣収納部正面２１と紙幣収納部背面２３の略中間）に位置した起立位置Ｅの間で回動する。なお、起立位置Ｅとは、取っ手２８が紙幣収納部上面２４に対して垂直に立ちあがった状態及び、傾倒位置Ｄとは反対側に傾いた状態（例えば９５度）の両方を含めた状態のことをいう。
【００３０】
取っ手２８は、例えば、金庫ユニット１８から紙幣収納カセット１９を取り出すときや、取っ手２８を立ち上げた状態で保ちたい場合に起立位置Ｅとする。一方、取っ手２８は、例えば、紙幣収納カセット１９を金庫ユニット１８に戻し、金庫ユニット１８を自動取引装置１の内部に収納する場合に傾倒位置Ｄとする。
【００３１】
取っ手２８の一部には、図４（ａ）に示したように、ロックレバー３２が入り込む切り欠き部３０が設けられている。切り欠き部の形状は、ロックレバー３２と接触しない形状であることが好ましく、ロックレバー３２の略同形状である長方形状となっている。なお、切り欠き部３０の形状は、ロックレバー３２と接触しない形状であればよく、特に限定するものではない。
【００３２】
また取っ手２８には、ロックレバー接触部３１が設けられている。ロックレバー接触部３１は、取っ手２８が起立位置Ｅであり、紙幣収納部背面２３が床面と接触して転倒している状態のとき、取っ手接触突起部３４と接触することで、取っ手２８が起立位置Ｅから傾倒位置Ｄへ回動することを規制するものであり、図４（ｂ）に示したように、取っ手接触突起部３４と接触する部分を傾斜させて形成している。
【００３３】
ロックレバー接触部３１に設けられた傾斜は、取っ手２８を掴んで紙幣収納カセット１９を持ち上げようとしたときに、ロックレバー３２が外れてしまうことを防止するために設けられたものである。
【００３４】
取っ手２８を起立位置Ｅから傾倒位置Ｄに回動させようとすると、ロックレバー接触部３１は、取っ手接触突起部３４を押圧する。このときロックレバー接触部３１が取っ手接触突起部３４に与える力の向き（矢印Ｃ方向）は、ロックレバー回動支点部３３よりも左側（図６でいうと紙幣収納部上面２４側）になるようにしている。言い換えると、取っ手接触突起部３４に与える力の向きは、ロックレバー接触部３１の面に対して略法線方向となる。なお、図６に示した紙幣収納部背面２３が床面に接触して転倒しているときの取っ手支点部２９とロックレバー回動支点部３３の位置関係は、取っ手支点部２９よりもロックレバー回動支点部３３が紙幣収納部上面２４側に配置されているものである。
【００３５】
このようにロックレバー接触部３１は、取っ手２８を回動させることにより取っ手接触突起部３４に力を与え、取っ手接触突起部３４に与える力の向きがロックレバー回動支点部３３よりも紙幣収納部上面２４側（ロックレバー接触部３１に対して略法線方向）となるようにすることで、取っ手２８の回動時にロックレバー３２が外れてしまうことを防止している。
【００３６】
（動作）
以上の構成により、第１の実施形態の自動取引装置１の紙幣収納カセット１９は、以下のように動作する。この動作を、図を用いて詳細に説明する。
【００３７】
係員が紙幣収納カセット１９の交換や紙幣収納カセット１９への紙幣の装填作業を行うときは、図８の矢印Ａ方向に自動取引装置１から金庫ユニット１８を引き出す。係員が金庫ユニット１８を引き出すと、紙幣収納カセット１９は、紙幣収納部下面２５が床面に接触した状態であり、かつ、図１に示すように、紙幣収納カセット１９の取っ手２８が収納状態（傾倒位置Ｄ）で引き出される。
【００３８】
そして、係員は、図５に示したように、取っ手２８を起立位置Ｅとし、取っ手２８を掴んで図８の矢印Ｂ方向に紙幣収納カセット１９を取り出す。このとき取っ手２８は、ロックレバー３２に接触することなく起立位置Ｅへ回動する。
【００３９】
係員は、取り出した紙幣収納カセット１９を床面に置き、紙幣収納カセットの交換や紙幣の装填作業、または取出し作業を行い、作業を終えると金庫ユニット１８に紙幣収納カセット１９を戻すが、このとき誤って紙幣収納カセット１９を転倒させてしまうことがある。また不意に転倒させてしまった場合ではなくても、図６に示したように、取っ手２８が起立位置Ｅにあり、紙幣収納部背面２３が床面に接触した状態となる場合がある。
【００４０】
取っ手２８が傾倒位置Ｄから起立位置Ｅに回動すると、ロックレバー３２の取っ手接触突起部３４は、取っ手２８の切り欠き部３０に入り込んでいた状態から解放され、ロックレバー３２は、ロックレバー回動支点部３３を中心に退避位置Ｆから接触位置Ｇに回動する。このときロックレバー３２は、回動範囲を規制するロックレバーリミッタ３５ｂに接触して停止するか、若しくは、ロックレバー３２の取っ手接触突起部３４が、取っ手２８のロックレバー接触部３１に接触して停止する。
【００４１】
上述した状態から係員が取っ手２８を掴んで紙幣収納カセット１９を持ち上げようとすると、ロックレバー３２の取っ手接触突起部３４は、取っ手２８のロックレバー接触部３１に接触しているため、取っ手２８が起立位置Ｅから傾倒位置Ｄへ回動することを規制するとともに、取っ手２８に設けられたロックレバー接触部３１が取っ手接触突起部３４を押圧する。ロックレバー接触部３１が取っ手接触突起部３４に与える力の向きは、ロックレバー接触部の面に対して略法線方向（図４ｂに示した矢印Ｃ方向）となることで、取っ手２８の回動によって、ロックレバー３２を外してしまうことを防止する。このように、ロックレバー接触部３１と取っ手接触突起部３４とが接触した状態となり、取っ手２８の起立位置を保ったまま紙幣収納カセット１９を持ち上げることができる。
【００４２】
次に図７に示したように、取っ手２８が傾倒位置Ｄにあり、紙幣収納部正面２１が床面に接触した状態から紙幣収納カセット１９を持ち上げる動作について説明する。
【００４３】
紙幣収納部正面２１が床面に接触した状態で紙幣収納カセット１９が転倒すると、取っ手２８は回動することなく、傾倒位置Ｄのまま転倒している状態となる。取っ手２８が回動しないため、ロックレバー３２の取っ手接触突起部３４は、取っ手２８に設けられた切り欠き部３０に入り込んだ状態となり、ロックレバー３２も退避位置Ｆから回動しない。
【００４４】
この状態から係員は、紙幣収納カセット１９を持ち上げるために、取っ手２８を傾倒位置Ｄから起立位置Ｅに移動させる。このときロックレバー３２は、ロックレバーリミッタ部３５ａによって回動を規制されているため、退避位置Ｆを保ったままとなる。
【００４５】
取っ手２８は、取っ手リミッタ部２７ｂによって回動範囲を規制されているため、起立位置Ｅで停止したのち、起立位置Ｅを保ったまま紙幣収納カセット１９を持ち上げることができる。
【００４６】
上述したように、係員は、紙幣収納カセット１９が転倒した状態から紙幣収納カセット１９を持ち上げて金庫ユニット１８に戻し、自動取引装置１の内部に金庫ユニット１８を収納することで装填作業等を終了する。
【００４７】
（第１の実施形態の効果）
以上のように、第１の実施形態での紙幣収納カセットによれば、媒体を収納する媒体収納部と、前記媒体収納部に支持部を有し、前記支持部を回転支点として傾倒位置から起立位置の間で回動自在な取っ手と、前記支持部の近傍に取り付けられ、所定の場合に、前記取っ手の回動を規制するロックレバーとを有し、前記ロックレバーは、前記取っ手が起立位置から傾倒位置へ回動することを規制する構成とした。このように、取っ手が起立位置にあり、かつ、紙幣収納部背面が床面に接触した状態で紙幣収納カセットが転倒している場合では、取っ手を掴んで持ち上げようとしたとき、ロックレバーの取っ手接触突起部と取っ手に設けられたロックレバー接触部とが接触することで取っ手が起立位置から傾倒位置へ回動することを規制し、紙幣収納カセットを持ち上げやすいという効果が得られる。
【００４８】
第１の実施形態では、ロックレバー３２及びロックレバーリミッタ部３５は、紙幣収納部側面２２のいずれか一方に取り付ける例を示した。しかし、ロックレバー３２及びロックレバーリミッタ部３５ａ、３５ｂは、紙幣収納部側面２２の両側に設けてもよいものである。このように構成することで、取っ手２８が起立位置Ｅから傾倒位置Ｄに回動することをより確実に規制することが可能となる。
【００４９】
また、第１の実施形態では、紙幣収納カセット１９が転倒し、取っ手２８が起立位置Ｅへ回動したとき、ロックレバー３２によって、取っ手２８が起立位置Ｅから傾倒位置Ｄへ回動することを規制する例を示した。しかし、ロックレバー３２は、取っ手２８が傾倒位置Ｄから起立位置Ｅへ回動することを規制するように設けられてもよいものである。
【００５０】
上述した構成の場合、紙幣収納カセット１９が転倒したとき、取っ手２８はロックレバー３２により傾倒位置Ｄを保つように規制されている。このとき係員は、傾倒位置Ｄを保っている取っ手２８を掴むか、もしくは、取っ手２８を掴むことなく紙幣収納部下面２５が床面と接触するように紙幣収納カセット１９を立ち上げることになる。こうすることで、取っ手２８が回動して紙幣収納カセット１９を持ち上げにくいということが無くなる。
【００５１】
また、ロックレバー３２は、ソレノイド等の駆動備え、ロックレバー３２を回動させるようにしてもよい。
【００５２】
また、ロックレバー接触部３１は、取っ手接触突起部３４と接触する部分に傾斜を設ける例を示したが、取っ手接触突起部３４が入り込む溝部を設けてもよい。このように構成することで、取っ手接触突起部３４が溝部に入り込み、より確実に取っ手２８の回動を規制することができる。
【００５３】
上述したように、取っ手２８、切り欠き部３０、ロックレバー接触部３１、ロックレバー３２及び取っ手接触突起部３４等の形状等は、単なる一例にすぎず、特に限定されるものではない。
【００５４】
以上、述べたように、本発明は、紙幣等の媒体の補充や回収等を行うための着脱可能な媒体収納カセット及び媒体収納カセットを備えた媒体取扱装置に広く用いることができる。
【符号の説明】
【００５５】
１      自動取引装置
１８    金庫ユニット
１９    紙幣収納カセット
２０    紙幣収納部
２１    紙幣収納部正面
２２    紙幣収納部側面
２３    紙幣収納部背面
２４    紙幣収納部上面
２５    紙幣収納部下面
２６    コ型凹部
２７（２７ａ,２７ｂ）  取っ手リミッタ部
２８    取っ手
２８ａ  把持部
２９    取っ手支点部
３０    切り欠き部
３１    ロックレバー接触部
３２    ロックレバー
３３    ロックレバー回動支点部
３４    取っ手接触突起部
３５（３５ａ, ３５ｂ）  ロックレバーリミッタ部
３６    篏合穴
Ｄ  傾倒位置
Ｅ  起立位置
Ｆ  退避位置
Ｇ  接触位置
【図１】
2015060562.tif 000003
【図２】
2015060562.tif 000004
【図３】
2015060562.tif 000005
【図４（ａ）】
2015060562.tif 000006
【図４（ｂ）】
2015060562.tif 000007
【図５】
2015060562.tif 000008
【図６】
2015060562.tif 000009
【図７】
2015060562.tif 000010
【図８】
2015060562.tif 000011
【図９】
2015060562.tif 000012